(57)【要約】【課題】玉量検出スイッチに引掛爪を形成し、貯留タンクに設けた開口部に引掛け、バネ材から成る取付板の反発力によって固定することにより、着脱が容易にできるパチンコ玉貯留タンクの玉量検出スイッチを提供する。【解決手段】パチンコ玉を貯留させるためのタンク壁板に、開口部を設けた貯留タンクにおいて、玉量を検出するスイッチ本体と、スイッチ本体を取付ける本体フレーム及び、バネ材から成る貯留タンクへ取付けるための取付板から構成されており、本体フレーム及び、取付板に引掛爪を形成した。【選択図】図１
2006230727.tif 000002
【特許請求の範囲】
【請求項１】
パチンコ玉貯留タンク壁板に、玉量検出スイッチを取付けるための開口部を設け、前記開口部に係止する引掛爪を設けた本体フレームと、玉量を検出するスイッチ本体と、前記開口部に係止する引掛爪を設けたバネ材から成る取付板とから構成されたことを特徴とするパチンコ玉貯留タンクの玉量検出スイッチ。
【請求項２】
請求項１の玉量検出スイッチは、パチンコ玉貯留タンクに形成された開口部の任意の位置に取付けることのできるパチンコ玉貯留タンクの玉量検出スイッチ。
【発明の詳細な説明】
【技術分野】
【０００１】
本発明は、パチンコホールの遊技島内に設置されるパチンコ玉貯留タンクの玉量検出スイッチに関する。
【背景技術】
【０００２】
パチンコホールには、遊技島内に遊技機、及び玉貸機等にパチンコ玉を補給するためにパチンコ玉を貯留する貯留タンクが設置されており、前記貯留タンク部分には玉量を検出するスイッチが設けられている。
【０００３】
玉量検出スイッチとしては特許文献１に示すものがある。この文献に明示された「玉量検出スイッチ機構」は、パチンコ玉貯留タンクの壁板に開口部を形成し、貯留タンクの壁板の外側に、前記開口部を囲むようにして支持フレームを取り付ける。この支持フレームにセンサー本体を対向配設する。中間板面を前記貯留タンクの開口部に臨ませた揺動ブロックの基端を前記支持フレームに揺動自在に軸支させ、揺動側先端が前記センサー本体と貯留タンク壁板の間を移動してセンサー本体をＯＮ、ＯＦＦさせるようにする。該揺動ブロックは、自重で前記貯留タンクの壁板側に揺動して係合するとともに、貯留タンク内の球量の押圧力でセンサー本体側に揺動する姿勢で配設されている構成が下記の文献にて開示されている。
【０００４】
【特許文献１】特開平１０−２７７２４５
【発明の開示】
【発明が解決しようとする課題】
【０００５】
しかしながら、特許文献１においては、スイッチがタンク内側の凹部に形成した凹部に設置されているので、交換などの作業がし難く交換等の作業に時間が掛かり作業者の手間となっていた。
【０００６】
また、パチンコ玉貯留タンク内の玉量を検出するスイッチ本体が、貯留タンクの壁板に形成された定位置の開口部を囲むように取付けられた支持フレームに直接取付けられているので、各ホールに適した玉量を検出することができない。即ち、貯留タンク内の玉量に応じた任意の位置にセットできず適正な玉量を検出できないという不具合が生じる。
【０００７】
そこで本発明は、玉量検出スイッチに引掛爪を形成し、貯留タンクに設けた開口部に引掛爪を引掛け、バネ材から成る取付板の反発力によって固定されることにより、前記取付板の操作により着脱が容易にできるパチンコ玉貯留タンクの玉量検出スイッチを提供することにある。
【０００８】
また、玉量検出スイッチを取付ける貯留タンクに設けられた開口部を幅広にすることにより、開口部範囲内で任意の位置へセットすることが可能なパチンコ玉貯留タンクの玉量検出スイッチを提供することにある。
【課題を解決するための手段】
【０００９】
上記の問題を解決するために、本発明の玉量検出スイッチは、パチンコ玉を貯留させるためのタンク壁板に、玉量検出スイッチを取付けるための開口部を設けた貯留タンクにおいて、玉量を検出するスイッチ本体と、前記開口部に係止する引掛爪を設けた、スイッチ本体を取付ける本体フレームと、玉量検出スイッチを貯留タンクへ取付けるための、前記開口部に係止する引掛爪を設けたバネ材から成る取付板とから構成されたことを特徴とする。
【００１０】
前記玉量検出スイッチは、貯留タンクに形成された開口部の任意の位置に取付けることのできることを特徴とする。
【発明の効果】
【００１１】
本発明によれば、玉量検出スイッチを貯留タンクに設けた開口部へ取付ける手段として、貯留タンクに設けた開口部に本体フレーム及び、バネ材から成る取付板に形成した引掛爪を引掛け、前記取付板のバネ材の反発力により引掛爪を係止させ固定する。従って、玉量検出スイッチが狭所箇所に設置されている従来の手段と比較して、着脱が容易に行なえる。
【００１２】
また、貯留タンク壁板に設けられた玉量検出スイッチを取付けるための開口部が、本体フレーム幅よりも幅広で傾斜状に形成されている。従って、定位置に取付けられていた玉量検出スイッチと比較して、開口部の任意の位置へ調整し取付ける事が可能となった。
【発明を実施するための最良の形態】
【００１３】
以下、本発明の実施形態を添付の図面に基づいて説明する。
【実施例１】
【００１４】
遊技島１０には例えば複数台列設されたパチンコ遊技機１２及びパチンコ玉貸機１１と、上部タンク１３を設けた玉揚送装置１４とを備えて一群と成し、遊技島１０内部に多量のパチンコ玉を貯留する玉貯留タンク１５を備えてパチンコ玉を循環還流させるように成している。
【００１５】
前記玉貯留タンク１５の壁板数箇所には、パチンコ玉１７が通過することのできない直径以下の開口部縦幅Ｌ２で、かつ該開口部横幅Ｌ１は本体フレーム幅Ｌ３よりも幅大に形成された開口部１６が設けられている。これにより、玉量検出スイッチ５を交換する時などに貯留タンク１５内にパチンコ玉１７が貯留されている状態であっても、パチンコ玉１７が貯留タンク１５より流出することがなく着脱が可能である。また、前記開口部１６は、例えば約４５度の傾斜状に形成されていることにより、上下左右方向の位置調整が可能である。なお、上記説明においては開口部１６を傾斜状に形成した説明としたが、例えば水平状に形成したものや、垂直状に形成したものであっても良い。
【００１６】
開口部１６に取付ける本発明よる玉量検出スイッチ５は、引掛爪１ａを下向きに設けた本体フレーム１と、玉量を検出するスイッチ本体４と、玉押圧部３ａを先端に形成したスイッチ押板３と、バネ材から成るコの字形の先端に引掛け爪２ａを形成し、任意の支点２ｂ位置には垂直方向に対し角度α１を有したことにより取付け前には引掛爪位置２ａａに配置される取付板２と本体フレーム１に取付板２を固定するための固定具６により構成されている。
【００１７】
本発明よる玉量検出スイッチ５は、本体フレーム１内にスイッチ本体４を設置し、スイッチ押板３が本体フレーム１の両側面に形成した係合穴１ｂに係止片３ｂを介して揺動自在に軸着されている。また、本体フレーム１をその両側より囲むようにコの字形の取付板２が固定具６により固定されている。
【００１８】
揺動自在に軸着されているスイッチ押板３の板面がスイッチ本体４に接触４ａしていることによりスイッチ押板３の先端に形成され玉押圧部３ａが、前記開口部１６を介して貯留タンク１５内に出没するとともに、先端の玉押圧部３ａが貯留タンク１５の壁板との間を移動してスイッチ本体４をＯＮ、ＯＦＦさせることができる。前記スイッチ押板３を設けることによりスイッチ本体４がパチンコ玉１７から直接衝撃を受けることがないので破損が防げる。
【００１９】
本発明よる玉量検出スイッチ５を貯留タンク１５へ取付ける手段として、貯留タンク１５に設けた開口部１６に本体フレーム１の引掛爪１ａを下縁に係止させ、取付板２の引掛爪２ａを取付け最中には引掛爪位置２ａｃまで取付板２の背面を押圧し、開口部１６の上縁に係止させることにより引掛爪２ａは取付け後に引掛爪位置２ａｂで背面方向に角度α２分だけバネ材の反発力で引っ張られることにより固定される。従って、玉量検出スイッチ５は取付板２の操作にて簡単に着脱が行なえる。
【００２０】
また、貯留タンク１５壁板に設けられた玉量検出スイッチ５を取付けるための上記開口部１６は、上下左右方向への調整が可能な傾斜状に形成され、該かつ開口部横幅Ｌ１が、本体フレーム幅Ｌ３よりも幅広によることで任意の位置へ取付ける事を可能としている。即ち、ホールによってパチンコ遊技機１２及び、パチンコ玉貸機１１等の設置台数が異なり、また貯留タンク１５への玉流入位置によってパチンコ玉の貯留状態が変動する。これらを対応すべく玉量検出スイッチ５は最適な位置に取付け可能になっている。
【産業上の利用可能性】
【００２１】
本発明のパチンコ玉貯留タンクの玉量検出スイッチは、例えばパチンコホールの遊技島内に設置されているパチンコ玉を貯留するタンクに少なくとも１個以上の開口部を設けた貯留タンクにおいて、玉量を検出するスイッチ本体と、前記開口部に係止する引掛け爪を設けた、スイッチ本体を取付ける本体フレームと、バネ材から成る前記開口部に係止する引掛け爪を設けた、貯留タンクへ取付けるための取付板から構成され、バネ材で成型された前記取付板の反発力によって固定されていることにより容易に着脱することができる構造である。さらに貯留タンクに形成された開口部の任意の位置に取付けることのできるパチンコ玉貯留タンクの玉量検出スイッチとして利用が可能となる。
【図面の簡単な説明】
【００２２】
【図１】本発明に係る玉量検出スイッチの構成を示す断面図である。
【図２】本発明に係る玉量検出スイッチの構成部品斜視図である。
【図３】本発明に係る玉量検出スイッチの構成を示す正面斜視図である。
【図４】本発明に係る玉量検出スイッチの構成を示す背面斜視図である。
【図５】本発明の玉量検出スイッチの実施例１の構成を示す斜視図である。
【図６】本発明に係る玉量検出スイッチの取付板の動きを示す側面図である。
【図７】本発明の実施例１に係る遊技島を示す平面図である。
【符号の説明】
【００２３】
１  本体フレーム
１ａ  引掛爪（本体フレーム側）
１ｂ  係合穴
２  取付板
２ａ  引掛爪（取付板側）
２ａａ  引掛爪位置（取付け前位置）
２ａｂ  引掛爪位置（取付け後位置）
２ａｃ  引掛爪位置（取付け最中位置）
２ｂ  支点
３  スイッチ押板
３ａ  玉押圧部
３ｂ  係止片
４  スイッチ本体
４ａ  スイッチ本体とスイッチ押板接触部
５  玉量検出スイッチ
６  固定具
１０  遊戯島
１１  パチンコ玉貸機
１２  パチンコ遊技機
１３  上部タンク
１４  玉揚送装置
１５  貯留タンク
１６  開口部
１７  パチンコ玉
Ａ  背面方向
Ｌ１  開口部横幅
Ｌ２  開口部縦幅
Ｌ３  本体フレーム幅
【図１】
2006230727.tif 000003
【図２】
2006230727.tif 000004
【図３】
2006230727.tif 000005
【図４】
2006230727.tif 000006
【図５】
2006230727.tif 000007
【図６】
2006230727.tif 000008
【図７】
2006230727.tif 000009